(57)【要約】【課題】コンクリート製品の反転を安全にコンクリートを損傷させることなく行うことができ、しかも比較的簡易な構造で低コストの装置により反転を実施できるコンクリート製品の反転装置及び反転方法を提供する。【解決手段】置台部分２ａと受台部分２ｂから側面視Ｌ字状に形成された転倒台２が回転駆動装置５により回転軸４を中心として回転し、置台部分・受台部分がそれぞれ水平状態と直立状態となるように構成された転倒機を置台部分２ａのコンクリート製品載置面が対面するようにベース３上に一対で設置して、一方を立起し機Ａ、他方を転倒機Ｂとし、立起し機と転倒機の受台部分が水平状態で互いに噛合するようにし、かつ、転倒機Ｂをベース長手方向に移動可能とし、立起し機Ａでコンクリート製品Ｃを立て起し、直立状態の製品Ｃを転倒機Ｂに移載して転倒機Ｂで水平状態に転倒させ、製品Ｃを180°反転させる。【選択図】図１
2007168985.tif 000002
【特許請求の範囲】
【請求項１】
コンクリート製品を180°反転させる反転装置であり、
置台部分と受台部分から側面視Ｌ字状に形成された転倒台が回転駆動装置により回転軸を中心として回転し、前記置台部分及び受台部分がそれぞれ水平状態と直立状態となるように構成された転倒機を転倒台の直立状態の置台部分のコンクリート製品載置面が対面するようにベース上に一対で設置して、一方が立起し機、他方が転倒機とされ、これら立起し機と転倒機の受台部分が水平状態で互いに噛合するように形成され、かつ、立起し機と転倒機のうちのいずれか一方が相互に接近・離隔する方向に移動可能とされていることを特徴とするコンクリート製品の反転装置。
【請求項２】
請求項１に記載の反転装置を用い、立起し機及び転倒機の転倒台の置台部分が水平の状態から、立起し機の転倒台の水平状態の置台部分の上にコンクリート製品を載置し、転倒機の転倒台を受台部分が水平となるように回転させ、立起し機の転倒台を受台部分が水平となるように回転させて、前記転倒機の受台部分に噛合させ、次いで転倒機と立起し機を相互に接近する方向に移動させて転倒機の直立の置台部分にコンクリート製品を当接させ、転倒機の転倒台を置台部分が水平となる方向に回転させて、立起し機側のコンクリート製品を転倒機の受台部分の上に移載し、さらに転倒機の転倒台を回転させ、置台部分を水平状態にしてコンクリート製品を180°反転させることを特徴とするコンクリート製品の反転方法。
【発明の詳細な説明】
【技術分野】
【０００１】
本発明は、コンクリートセグメント等のコンクリート製品を180°反転させる反転装置及び反転方法に関するものである。
【背景技術】
【０００２】
例えば、湾曲した円弧状のコンクリートセグメントは、上に凸の皿伏せ状態で型枠により製造され、脱型した後、検査やストックヤードの平積みのために180°反転させて、下に凸の皿置き状態とする必要がある。
【０００３】
従来においては、脱型のために用いた吊上げワイヤでコンクリートセグメントを吊り上げ、吊り降ろしたコンクリートセグメントを人力で180°反転させることが行われているが、重いコンクリートセグメントを人力で反転させる作業は重労働で危険な作業であり、またコンクリートの角部を欠損するなどの問題があり、コンクリート製品を自動的に反転させる装置が望まれている。
【０００４】
また、本発明に関連する先行技術文献としては、特許文献１〜５がある。特許文献１、２の発明は、Ｕ字型側溝等のコンクリート製品の回転支持具であり、コンクリート製品の両側壁に設けられた支持穴に回転支持具の先端部分を挿入してカムで固定し、左右一対の回転支持具をワイヤで吊下げるものである。
【０００５】
特許文献３の発明は、大型コンクリート製品の立ち上げ方法であり、コンクリート製品をワイヤ等の吊上げ機により立ち上げた時に下部となる部分に、コンクリート製品を回転可能に支持し得るローラー・反転プレートを備えた移動式反転治具を取付け、この反転治具を支点としてコンクリート製品を立ち上げ、コンクリート製品の下部が引き摺られるのを防止している。
【０００６】
引用文献４、５の発明は、コンクリート製品反転機であり、支持フレームと、この支持フレームに反転可能に軸着されたリング状の反転フレームとからなり、この反転フレームには相互に間隔を狭め又は広げるように移動可能な相対する１対の製品支持台を有している。
【０００７】
【特許文献１】特開２０００−２４７５７１号公報
【特許文献２】特開平１１−１３０３７４号公報
【特許文献３】特開平１１−０２２１９８号公報
【特許文献４】特開平１０−０３５８４１号公報
【特許文献５】特許第０９−１５６７５４号公報
【発明の開示】
【発明が解決しようとする課題】
【０００８】
従来のワイヤで吊り下げてコンクリート製品を反転させる方式では、重いコンクリート製品を人力で反転させなければならず、重労働で危険な作業であり、またコンクリートの角部を欠損する恐れがあるなどの課題がある。また、前述のコンクリート製品を自動的に反転させる反転装置の場合、装置が大型化・複雑化し、コストがかかるなどの課題がある。
【０００９】
本発明は、コンクリート製品の反転を安全にコンクリートを損傷させることなく行うことができ、しかも比較的簡易な構造で低コストの装置により反転を実施できるコンクリート製品の反転装置及び反転方法を提供するものである。
【課題を解決するための手段】
【００１０】
本発明の請求項１の発明は、コンクリート製品を180°反転させる反転装置であり、置台部分と受台部分から側面視Ｌ字状に形成された転倒台が回転駆動装置により回転軸を中心として回転し、前記置台部分及び受台部分がそれぞれ水平状態と直立状態となるように構成された転倒機を転倒台の直立状態の置台部分のコンクリート製品載置面が対面するようにベース上に一対で設置して、一方が立起し機、他方が転倒機とされ、これら立起し機と転倒機の受台部分が水平状態で互いに噛合するように形成され、かつ、立起し機と転倒機のうちのいずれか一方が相互に接近・離隔する方向に移動可能とされていることを特徴とする。
【００１１】
例えば、図１に示すように、立起し機でコンクリート製品を立て起し、転倒機へ移載し、転倒機により転倒させて、コンクリート製品を180°反転させるものである。転倒台は油圧シリンダ等の回転駆動装置により90°回転させ、置台部分を水平状態から直立状態にする。水平状態で互いに噛合する受台部分は立起し機の方を転倒機よりも高くし、直立状態で待機する転倒機の受台部分にコンクリート製品の下面が当たらないようにする。移載に際しては、例えば転倒機の方を油圧シリンダとスライダー装置で立起し機側へスライドさせ、コンクリート製品の背面を転倒機の直立状態の置台部分に押し付け、次の転倒に際してコンクリート製品に衝撃を与えないようにする。
【００１２】
本発明の請求項２の発明は、請求項１に記載の反転装置を用い、立起し機及び転倒機の転倒台の置台部分が水平の状態から、立起し機の転倒台の水平状態の置台部分の上にコンクリート製品を載置し、転倒機の転倒台を受台部分が水平となるように回転させ、立起し機の転倒台を受台部分が水平となるように回転させて、前記転倒機の受台部分に噛合させ、次いで転倒機と立起し機を相互に接近する方向に移動させて転倒機の直立の置台部分にコンクリート製品を当接させ、転倒機の転倒台を置台部分が水平となる方向に回転させて、立起し機側のコンクリート製品を転倒機の受台部分の上に移載し、さらに転倒機の転倒台を回転させ、置台部分を水平状態にしてコンクリート製品を180°反転させることを特徴とするコンクリート製品の反転方法である。
【発明の効果】
【００１３】
本発明は、以上のような構成からなるので、次のような効果が得られる。
【００１４】
(1)  ベース上に設置した一対の転倒台を用いて、コンクリート製品を立て起し、移載し、転倒させて、180°反転させるようにしたため、コンクリート製品の反転を安全にコンクリートを損傷させることなく行うことができ、反転作業の重労働で危険な作業を解消することができ、また健全なコンクリート製品を提供することができる。
【００１５】
(2)  しかも、一対の転倒台からなる比較的簡易な構造で低コストの装置によりコンクリート製品の反転を行うことができる。
【発明を実施するための最良の形態】
【００１６】
以下、本発明を図示する実施形態に基づいて説明する。図１、図２、図３は、この発明に係る反転装置の一実施形態を示す側面図、平面図、左側面図及び右側面図である。
【００１７】
図１において、反転装置１は、側面視Ｌ字状の転倒台２を備えた転倒機をベース３上に左右一対で対向配置して構成され、図の右側を立起し機Ａ、左側を転倒機Ｂとしている。後に詳述するように、立起し機Ａで水平状態のコンクリートセグメント等のコンクリート製品Ｃを立て起し、直立状態のコンクリート製品Ｃを転倒機Ｂに移載して転倒機Ｂで水平状態に転倒させ、コンクリート製品を180°反転させるものである。
【００１８】
立起し機Ａ及び転倒機Ｂの構成は、下部を除いて同じであり、左右対称に配置されている。立起し機Ａは、転倒台２と、回転軸４と、回転駆動装置としての油圧シリンダ５と、支持架台６と、支柱７などから構成されている。転倒機Ｂは、転倒台２と、回転軸４と、油圧シリンダ５と、支持架台６と、支柱７のほかに、立起し機Ｂに対して接近・離隔する方向（ベース長手方向・転倒方向）に移動させる移動装置８が設けられている。
【００１９】
側面視Ｌ字状の転倒台２は、図１に示すように、長尺の置台部分２ａと短尺の受台部分２ｂから構成され、また、図２、図３に示すように、ビームによるアーム部材から構成され、転倒直角方向（ベース幅方向）に一対で配置し、この一対のアーム部材をベース幅方向に平行な断面角形の回転軸４により連結して構成されている。さらに、図２の二点鎖線で示すように、この転倒台２のアーム部材は、立起し機Ａと転倒機Ｂとでベース幅方向に若干ずらして配置され、立起し機Ａと転倒機Ｂの水平状態の受台部分２ｂ、２ｂが互いに隙間をおいて噛合できるようにされている。
【００２０】
回転軸４は、図１、図２に示すように、置台部分２ａの下面に固定され、両端部が支持架台６上の軸受け１０により支持され、回転自在とされている。また、この回転軸４の両端部の内側には、作動レバー１１を介して油圧シリンダ５のピストンロッド先端が接続され、シリンダ本体は取付板１２を介してベース３上に取付けられ、油圧シリンダ５の収縮・伸長により、置台部分２ａが水平の状態から90°回転して置台部分２ａが直立状態となるように構成されている。
【００２１】
図１に示すように、置台部分２ａが直立の状態で互いに噛合する受台部分２ｂ、２ｂは所定長さだけラップするが、立起し機Ａの受台部分２ｂの方が10ｍｍ程度高く設定され、立て起したコンクリート製品の下面が転倒機Ｂの受台部分２ｂに当らないようにされている。さらに、移動装置８により転倒機Ｂがベース長手方向に移動し、直立状態の受台部分２ｂ、２ｂの間隔が狭められる。
【００２２】
また、図１に示すように、置台部分２ａのコンクリート製品載置面にはパッキン材１３が取付けられ、受台部分２のコンクリート製品受面にはゴムパッド１４が貼着されている。さらに、置台部分２ａは鉛直に立ち上がった時にコンクリート製品の側面を受ける受面でもあり、パッキン材１３はコンクリートセグメントの種々の曲率に対応できるように鉛直軸の回りを水平方向に傾動可能に取付けられている（図２参照）。
【００２３】
なお、置台部分２ａの下面には回転軸４と平行に連結部材１５が固定されており、高さ調整装置を有する支柱７により位置きめされ、置台部分２ａの水平状態が保持される。また、水平状態の受台部分２ｂも支柱７により位置決めされ、水平状態が保持される。（図１参照）。
【００２４】
移動装置８は、図１〜図３に示すように、スライダー装置２０と油圧シリンダ２１から構成されている。スライダー装置２０は、転倒機Ｂの下部にベース幅方向の両側にベース長手方向と平行に設けられた背中合わせのアングル材からなるスライドビーム２２と、ベース３に取付板２３を介して回転自在に取付けられ、スライドビーム２２の上下フランジ間を転動する車輪２４から構成される。油圧シリンダ２１はベース３の真上の中央部に配置され、ピストンロッド先端が転倒機Ｂの下部に接続され、シリンダ本体が立起し機Ａに接続される。油圧シリンダ２１を伸縮させることにより、定置の車輪２４を案内として転倒機Ａがベース長手方向にスライド移動する。
【００２５】
なお、固定側の立起し機Ａの下部に、油圧装置・起動スイッチボックス・油圧調整機などが設置されている。
【００２６】
以上のような構成の反転装置を用いて、以下のような手順でコンクリートセグメントの180°反転作業を行う（図１参照）。
【００２７】
（1）立起し機Ａと転倒機Ｂはそれぞれの置台部分２ａ、２ａが水平状態で、また互いに離隔した状態で待機している。脱型したセグメントＣを脱型したままの姿勢、即ち上に凸の皿伏せ状態で立起し機Ａの水平の置台部分２ａの上にセットする。ここで、転倒機Ｂに反転したセグメントが取り外されていないと、センサーと制御回路のインターロック等で立起し機Ａが起動しないようにされている。
【００２８】
（2）立起し機Ａを起動し、その転倒台２を転倒機Ｂ側に回転させると共に、転倒機Ｂも起動し、その転倒台２を立起し機Ａ側に回転させる。ここで、立起し機ＡにはセグメントＣがあるため、立起し機Ａよりも先に転倒機Ｂが直立して立起し機Ａを待つようにする。立起し機Ａと転倒機Ｂを同時に起動し、立起し機Ａを直立寸前で停止させ、直立した転倒機Ｂの受台部分２ｂをセグメントの下部にスライド挿入するようにしてもよい。
【００２９】
（3）立起し機Ａと転倒機Ｂの両方が完全に直立した状態でセグメントの載っている立起し機Ａの受台部分２ｂは転倒機Ｂの受台部分２ｂよりも10ｍｍ程度高い位置にあり、セグメントの下面が転倒機Ｂの受台部分２ｂに当ることはない。この状態から転倒機Ｂを移動装置８により立起し機Ａに接近する方向にスライドさせ、セグメントの凸の背面を転倒機Ｂの直立した置台部分２ａのパッキン材１３に当接させる。
【００３０】
（4）立起し機Ａの受台部分２ｂを若干下り勾配で傾斜させると共に、転倒機Ｂの受台部分２ｂを上昇させ、セグメントを受台部分２ｂ上に移載する。
【００３１】
（5）セグメントを受け取った転倒機Ｂの転倒台２をさらに回転させ、受台部分２ｂが水平状態に戻ったところでセグメントの180°の反転が完了する。受台部分２ｂ上の下に凸の皿積み状態のセグメントを搬出する。立起し機Ａの転倒台２も回転させ、最初の状態に戻す。
【図面の簡単な説明】
【００３２】
【図１】この発明に係るコンクリート製品の反転装置の一実施形態を示す側面図である。
【図２】図１の反転装置の平面図である。
【図３】図１の反転装置の（ａ）は左側面図、（ｂ）は右側面図である。
【符号の説明】
【００３３】
Ａ……立起し機
Ｂ……転倒機
Ｃ……コンクリートセグメント（コンクリート製品）
１……反転装置
２……転倒台
２ａ…置台部分
２ｂ…受台部分
３……ベース
４……回転軸
５……油圧シリンダ（回転駆動装置）
６……支持架台
７……支柱
８……移動装置
１０……軸受け
１１……作動レバー
１２……取付板
１３……パッキン材
１４……ゴムパッド
１５……連結部材
２０……スライダー装置
２１……油圧シリンダ
２２……スライドビーム
２３……取付板
２４……車輪
【図１】
2007168985.tif 000003
【図２】
2007168985.tif 000004
【図３】
2007168985.tif 000005